(57)【特許請求の範囲】
【請求項１】
一方向に並んだ複数の板状基材に水系接着剤を介して長尺の化粧シートを連続的に貼付し、該長尺の化粧シートを上記板状基材毎に個片化した後に、該個片化した化粧シートと該化粧シートに貼付された板状基材とを平板状にプレスして積層一体化するシート化粧板材の製造方法であって、
上記長尺の化粧シートの表面に当接するバックアップ部と、該長尺の化粧シートを介して該バックアップ部に対向するように設けられ、該長尺の化粧シートの裏面に上記水系接着剤を塗布する塗工部とを備え、該塗工部により形成される隙間に応じて上記水系接着剤の塗布量を調整する塗布装置で上記長尺の化粧シートの裏面に上記水系接着剤を塗布した後に、該塗布された水系接着剤の塗布量を非接触式の膜厚計で測定し、
上記塗布装置は、タンクに貯留された上記水系接着剤を容積式ポンプで圧力を加えながら上記塗工部として設けられたスロットダイに供給し、該供給された水系接着剤を化粧シートの裏面に上記スロットダイの隙間から吐出して塗布するように構成されていることを特徴とするシート化粧板材の製造方法。
【請求項２】
請求項１に記載されたシート化粧板材の製造方法において、
上記塗工部には、上記隙間よりも小さい目のフィルターを通して上記水系接着剤が供給されることを特徴とするシート化粧板材の製造方法。
【請求項３】
請求項１又は２に記載されたシート化粧板材の製造方法において、
上記化粧シートは、樹脂製であり、
上記膜厚計は、上記塗布された水系接着剤の水分量に基づいて上記塗布量を測定するように設けられていることを特徴とするシート化粧板材の製造方法。
【請求項４】
請求項１〜３の何れか１つに記載されたシート化粧板材の製造方法において、
上記各板状基材は、木質基材であることを特徴とするシート化粧板材の製造方法。
【請求項５】
一方向に並んだ複数の板状基材に水系接着剤を介して長尺の化粧シートを連続的に貼付し、該長尺の化粧シートを上記板状基材毎に個片化した後に、該個片化した化粧シートと該化粧シートに貼付された板状基材とを平板状にプレスして積層一体化するシート化粧板材の製造装置であって、
上記長尺の化粧シートの裏面に上記水系接着剤を塗布する塗布装置と、
上記塗布装置で塗布された水系接着剤の塗布量を測定する非接触式の膜厚計とを備え、
上記塗布装置は、上記長尺の化粧シートの表面に当接するバックアップ部と、該長尺の化粧シートを介して該バックアップ部に対向するように設けられ、該長尺の化粧シートの裏面に上記水系接着剤を塗布する塗工部とを備え、該塗工部により形成される隙間に応じて上記水系接着剤の塗布量を調整するように構成され、タンクに貯留された上記水系接着剤を容積式ポンプで圧力を加えながら上記塗工部として設けられたスロットダイに供給し、該供給された水系接着剤を化粧シートの裏面に上記スロットダイの隙間から吐出して塗布するように構成されていることを特徴とするシート化粧板材の製造装置。
【請求項６】
請求項５に記載されたシート化粧板材の製造装置において、
上記膜厚計は、上記塗工部により形成される隙間に沿って平行移動可能に設けられていることを特徴とするシート化粧板材の製造装置。
【発明の詳細な説明】
【技術分野】
【０００１】
本発明は、シート化粧板材の製造方法及び製造装置に関するものである。
【背景技術】
【０００２】
例えば、板状の木質基材の表面に化粧シートを貼り付けた化粧シートタイプの床材は、近年、商品バリエーションが充実し、注目されている。ここで、化粧シートと木質基材との間には、化粧シートの裏面又は木質基材の表面に塗布された接着剤が介在している。そして、接着剤には、安価な水系接着剤や高価なホットメルト系接着剤等があり、ホットメルト系接着剤では、短時間で安定した接着力を実現することができるものの、コストアップを招くので、水系接着剤を用いたシート化粧板材の製造が見直されている。
【０００３】
例えば、特許文献１には、ロールコーターを用いて、長尺の帯状体に連続して塗布処理を行う塗布方法が開示されている。
【先行技術文献】
【特許文献】
【０００４】
【特許文献１】特許第５２００６５０号公報
【発明の概要】
【発明が解決しようとする課題】
【０００５】
ところで、上記特許文献１に開示されたロールコーターで水系接着剤を塗布する方法では、ライン速度等の設備条件を調整しても、ロールの周方向に沿ってローピングと呼ばれる筋模様が発生する傾向にあり、その傾向は、使用する水系接着剤の粘度が高くなる程、顕著になる。また、ロールコーターで水系接着剤を塗布する方法では、表面積の大きいロールが水系接着剤を表面に濡れ広げた状態で回転することにより、ロールの表面に凝集物が生成し、木質基材と化粧シートとの間に凝集物が挟み込まれるおそれがある。なお、ホットメルト系接着剤を用いた場合には、加熱すると、接着剤自体が溶融するので、接着剤内に凝集物等の異物が生成するおそれが殆どない。また、木質基材と化粧シートとを水系接着剤で接着するには、水系接着剤に含まれる水分による木質基材の反りや寸法変化を抑制するために、出来るだけ水分量が少なく、樹脂含有率の高い水系接着剤を均一に薄く塗布することが好ましく、例えば、５０ｇ／ｍ２〜２００ｇ／ｍ２程度（好ましくは５０ｇ／ｍ２〜１００ｇ／ｍ２程度）で水系接着剤を均一に薄く塗布する必要があるので、上記のようなローピングが発生していると、化粧シートの表面の平滑性が損なわれたり、塗布された水系接着剤の塗布量の測定及び管理が困難になったりしてしまう。なお、ローピングを抑制する方法としては、ホットメルト系接着剤を用いた場合には、加熱により粘度を下げることが考えられるものの、水系接着剤を用いた場合には、粘度を下げるために水分量を増やすと、固形分の低下による接着力の低下、さらに接着力を確保するために塗布量を多くすると、塗布された水分量の多い接着剤での液だれの発生、化粧シートの表面の平滑性の低下、木質基材と化粧シートとを積層一体化した後に接着強度を確保するために必要な時間の長期化等が懸念される。このように、木質基材と化粧シートとを接着するために、ロールコーターで水系接着剤を塗布する方法では、上記のような問題があるので、水系接着剤を安定的に且つ連続的に均一な膜厚で塗布することが難しく、改善の余地がある。
【０００６】
本発明は、かかる点に鑑みてなされたものであり、その目的とするところは、高粘度の水系接着剤を塗布する場合であっても、ローピングの発生を抑制して、安定的に且つ連続的に均一な膜厚で水系接着剤を塗布することにある。
【課題を解決するための手段】
【０００７】
上記目的を達成するために、本発明に係るシート化粧板材の製造方法は、一方向に並んだ複数の板状基材に水系接着剤を介して長尺の化粧シートを連続的に貼付し、該長尺の化粧シートを上記板状基材毎に個片化した後に、該個片化した化粧シートと該化粧シートに貼付された板状基材とを平板状にプレスして積層一体化するシート化粧板材の製造方法であって、上記長尺の化粧シートの表面に当接するバックアップ部と、該長尺の化粧シートを介して該バックアップ部に対向するように設けられ、該長尺の化粧シートの裏面に上記水系接着剤を塗布する塗工部とを備え、該塗工部により形成される隙間に応じて上記水系接着剤の塗布量を調整する塗布装置で上記長尺の化粧シートの裏面に上記水系接着剤を塗布した後に、該塗布された水系接着剤の塗布量を非接触式の膜厚計で測定し、上記塗布装置は、タンクに貯留された上記水系接着剤を容積式ポンプで圧力を加えながら上記塗工部として設けられたスロットダイに供給し、該供給された水系接着剤を化粧シートの裏面に上記スロットダイの隙間から吐出して塗布するように構成されていることを特徴とする。
【０００８】
上記の方法によれば、長尺の化粧シートの表面に当接するバックアップ部と、長尺の化粧シートを介してバックアップ部に対向するように設けられ、長尺の化粧シートの裏面に水系接着剤を塗布する塗工部とを備え、塗工部により形成される隙間に応じて水系接着剤の塗布量を調整する塗布装置により、一方向に並んだ複数の板状基材に貼付する長尺の化粧シートの裏面に水系接着剤を塗布するので、ロールコーターを用いた塗布方法で懸念されるローピングの発生を抑制することができる。これにより、化粧シートの幅方向において、均一な膜厚で水系接着剤を塗布することができる。また、長尺の化粧シートの裏面に塗布された水系接着剤の塗布量を非接触式の膜厚計で測定するので、化粧シートの長さ方向において、水系接着剤の塗布量の変化を連続的に検知することができる。これにより、長尺の化粧シートに対して、幅方向に均一な水系接着剤の膜厚を長さ方向に維持することができるので、長尺の化粧シートの裏面に対して、高粘度の水系接着剤を塗布する場合であっても、ローピングの発生を抑制して、安定的に且つ連続的に均一な膜厚で水系接着剤を塗布することができる。さらに、長尺の化粧シートの裏面に、安定的に且つ連続的に均一な膜厚で水系接着剤を塗布することができるので、平滑性に優れた美麗なシート化粧板材を製造することができる。
【０００９】
ここで、シート化粧板材を製造する際には、例えば、水系接着剤の粘度の異常等によって、水系接着剤の膜厚が薄すぎたり厚すぎたりすると様々な不具合が発生するので、水系接着剤の塗布量が所定の範囲を超える場合、製造ラインを一旦止めて、水系接着剤の塗布状況を確認する必要がある。このような場合にも、ローピングの発生が抑制されているので、連続的な塗布量の監視により不具合に対する速やかな対応を行うことができるだけでなく、不良品の発生を抑制することができ、より品質の安定した安価なシート化粧板材を製造することができる。
【００１０】
さらに、塗布装置が、タンクに貯留された水系接着剤を容積式ポンプで圧力を加えながらスロットダイに供給し、その供給された水系接着剤を化粧シートの裏面にスロットダイから吐出して塗布するように構成されているので、スロットダイに形成された隙間に応じて、長尺の化粧シートの裏面に塗布する水系接着剤の塗布量を具体的に調整することができる。
【００１１】
上記塗工部には、上記隙間よりも小さい目のフィルターを通して上記水系接着剤が供給されてもよい。
【００１２】
上記の方法によれば、塗工部には、塗工部により形成される隙間よりも小さい目のフィルターを通して水系接着剤が供給される。より具体的には、水系接着剤が吐出される塗工部（例えば、ダイコーターのスロットダイ）に形成された隙間よりも小さい目のフィルターを通して塗工部に水系接着剤が供給されるので、水系接着剤を製造する際、工場で製造、保管及び調整する際に水系接着剤に混入され得るカスや凝集物等のゴミをフィルターで取り除くことができる。特に、ダイコーターでは、圧力を加えながら、目の細かいフィルターを通して、スロットダイに水系接着剤を供給するので、塗工部により形成される隙間に水系接着剤に混入され得るゴミが詰まり難くなることにより、化粧シートの裏面に水系接着剤を塗布する際に、長時間にわたり膜切れの発生を抑制することができる。
【００１３】
上記化粧シートは、樹脂製であり、上記膜厚計は、上記塗布された水系接着剤の水分量に基づいて上記塗布量を測定するように設けられていてもよい。
【００１４】
上記の方法によれば、ローピングの発生を抑制して、長尺の化粧シートの裏面に均一に塗布された水系接着剤の塗布量を膜厚計でその塗布された水系接着剤の水分量に基づいて測定するので、一般的な非接触式の安価な膜厚計で水系接着剤の塗布量を連続的に正確に測定することができる。さらに、化粧シートが樹脂製であるので、化粧シートに水分が殆ど含まないため、化粧シートの裏面に塗布された水系接着剤の塗布量をいっそう正確に測定することができる。
【００１５】
上記各板状基材は、木質基材であってもよい。
【００１６】
上記の方法によれば、各板状基材が木質基材であるので、木質のシート化粧板材を製造することができる。
【００１７】
上記膜厚計は、上記長尺の化粧シートの幅方向に沿って移動可能に設けられていてもよい。
【００１８】
上記の方法によれば、膜厚計が化粧シートの幅方向に沿って移動可能に設けられているので、長尺の化粧シートの裏面に塗布された水系接着剤の塗布量を化粧シートの幅方向の任意の位置で測定することができる。また、長尺の化粧シートの裏面に塗布された水系接着剤において、ローピングの発生が抑制されているので、水系接着剤の塗布量を化粧シートの幅方向の任意の位置で測定するだけで、水系接着剤の塗布量を正確に把握することができる。
【００１９】
また、本発明に係るシート化粧板材の製造装置は、一方向に並んだ複数の板状基材に水系接着剤を介して長尺の化粧シートを連続的に貼付し、該長尺の化粧シートを上記板状基材毎に個片化した後に、該個片化した化粧シートと該化粧シートに貼付された板状基材とを平板状にプレスして積層一体化するシート化粧板材の製造装置であって、上記長尺の化粧シートの裏面に上記水系接着剤を塗布する塗布装置と、上記塗布装置で塗布された水系接着剤の塗布量を測定する非接触式の膜厚計とを備え、上記塗布装置は、上記長尺の化粧シートの表面に当接するバックアップ部と、該長尺の化粧シートを介して該バックアップ部に対向するように設けられ、該長尺の化粧シートの裏面に上記水系接着剤を塗布する塗工部とを備え、該塗工部により形成される隙間に応じて上記水系接着剤の塗布量を調整するように構成され、タンクに貯留された上記水系接着剤を容積式ポンプで圧力を加えながら上記塗工部として設けられたスロットダイに供給し、該供給された水系接着剤を化粧シートの裏面に上記スロットダイの隙間から吐出して塗布するように構成されていることを特徴とする。
【００２０】
上記の構成によれば、長尺の化粧シートの表面に当接するバックアップ部と、長尺の化粧シートを介してバックアップ部に対向するように設けられ、長尺の化粧シートの裏面に水系接着剤を塗布する塗工部とを備え、塗工部により形成される隙間に応じて水系接着剤の塗布量を調整する塗布装置により、一方向に並んだ複数の板状基材に貼付する長尺の化粧シートの裏面に水系接着剤を塗布するので、ロールコーターを用いた塗布方法で懸念されるローピングの発生を抑制することができる。これにより、化粧シートの幅方向において、均一な膜厚で水系接着剤を塗布することができる。また、長尺の化粧シートの裏面に塗布された水系接着剤の塗布量を非接触式の膜厚計で測定するので、化粧シートの長さ方向において、水系接着剤の塗布量の変化を連続的に検知することができる。これにより、長尺の化粧シートに対して、幅方向に均一な水系接着剤の膜厚を長さ方向に維持することができるので、長尺の化粧シートの裏面に対して、高粘度の水系接着剤を塗布する場合であっても、ローピングの発生を抑制して、安定的に且つ連続的に均一な膜厚で水系接着剤を塗布することができる。さらに、長尺の化粧シートの裏面に、安定的に且つ連続的に均一な膜厚で水系接着剤を塗布することができるので、平滑性に優れた美麗なシート化粧板材を製造することができる。
【００２１】
ここで、シート化粧板材を製造する際には、例えば、水系接着剤の粘度の異常等によって、水系接着剤の膜厚が薄すぎたり厚すぎたりすると様々な不具合が発生するので、水系接着剤の塗布量が所定の範囲を超える場合、製造ラインを一旦止めて、水系接着剤の塗布状況を確認する必要がある。このような場合にも、ローピングの発生が抑制されているので、連続的な塗布量の監視により不具合に対する速やかな対応を行うことができるだけでなく、不良品の発生を抑制することができ、より品質の安定した安価なシート化粧板材を製造することができる。
【００２２】
さらに、塗布装置が、タンクに貯留された水系接着剤を容積式ポンプで圧力を加えながらスロットダイに供給し、その供給された水系接着剤を化粧シートの裏面にスロットダイから吐出して塗布するように構成されているので、スロットダイに形成された隙間に応じて、長尺の化粧シートの裏面に塗布する水系接着剤の塗布量を具体的に調整することができる。
【００２３】
上記塗工部の上流側には、上記隙間よりも小さい目のフィルターが設けられ、上記塗布装置は、上記容積式ポンプにおける上記水系接着剤の圧力が所定範囲を超えた場合に異常を検知するように構成されていてもよい。
【００２４】
上記の構成によれば、塗工部の上流側には、塗工部により形成される隙間よりも小さい目のフィルターが設けられている。ここで、塗工部を構成するスロットダイに形成された隙間よりも小さい目のフィルターを通して塗工部に水系接着剤が供給されるので、水系接着剤を製造する際、工場で製造、保管及び調整する際に水系接着剤に混入され得るカスや凝集物等のゴミをフィルターで取り除くことができる。ここで、スロットダイを備えたダイコーターでは、圧力を加えながら、目の細かいフィルターを通して、スロットダイに水系接着剤が供給されるので、塗工部により形成される隙間に水系接着剤に混入され得るゴミが詰まり難くなることにより、化粧シートの裏面に水系接着剤を塗布する際に、長時間にわたり膜切れの発生を抑制することができる。また、塗布装置が、容積式ポンプにおける水系接着剤の圧力が所定範囲を超えた場合に異常を検知するように構成されているので、製造時の不具合に対して、速やかに対応することができ、不良品の発生を抑制することができる。
【００２５】
上記塗布装置は、上記膜厚計で測定した上記水系接着剤の塗布量が所定範囲を超えた場合に異常を検知するように構成されていてもよい。
【００２６】
上記の構成によれば、塗布装置が、膜厚計で測定した水系接着剤の塗布量が所定範囲を超えた場合に異常を検知するように構成されているので、製造時の不具合に対して、速やかに対応することができ、不良品の発生を抑制することができる。
【００２７】
上記膜厚計は、上記塗工部により形成される隙間に沿って平行移動可能に設けられていてもよい。
【００２８】
上記の構成によれば、膜厚計が、塗工部により形成される隙間に沿って、すなわち、化粧シートの幅方向に沿って平行移動可能に設けられているので、長尺の化粧シートの裏面に塗布された水系接着剤の塗布量を化粧シートの幅方向の任意の位置で測定することができ、塗工部により形成される隙間の一方端から他方端までにわたって水系接着剤の塗布量を測定することができる。また、長尺の化粧シートの裏面に塗布された水系接着剤において、ローピングの発生が抑制されているので、水系接着剤の塗布量を化粧シートの幅方向の任意の位置で測定するだけで、水系接着剤の塗布量を正確に把握することができる。
【発明の効果】
【００２９】
本発明によれば、長尺の化粧シートの表面に当接するバックアップ部と、長尺の化粧シートの裏面に上記水系接着剤を塗布する塗工部とを備え、塗工部により形成される隙間に応じて水系接着剤の塗布量を調整する塗布装置で長尺の化粧シートの裏面に水系接着剤を塗布した後に、その塗布された水系接着剤の塗布量を非接触式の膜厚計で測定するので、高粘度の水系接着剤を塗布する場合であっても、ローピングの発生を抑制して、安定的に且つ連続的に均一な膜厚で水系接着剤を塗布することができる。
【図面の簡単な説明】
【００３０】
【図１】本発明の第１の実施形態に係るシート化粧板材の製造方法に用いる板材製造装置の概略構成図である。
【図２】本発明の第１の実施形態に係るシート化粧板材の製造方法に用いる板材製造装置を構成する塗布装置の第１の変形例の概略構成図である。
【図３】本発明の第１の実施形態に係るシート化粧板材の製造方法に用いる板材製造装置を構成する塗布装置の第２の変形例の概略構成図である。
【発明を実施するための形態】
【００３１】
以下、本発明の実施形態を図面に基づいて詳細に説明する。なお、本発明は、以下の各実施形態に限定されるものではない。
【００３２】
《第１の実施形態》
図１は、本発明に係るシート化粧板材の製造方法及び製造装置の第１の実施形態を示している。なお、本実施形態では、シート化粧板材として、シート化粧床材を例示する。ここで、図１は、本実施形態のシート化粧床材１５の製造方法に用いる床材製造装置５０の概略構成図である。また、図２及び図３は、床材製造装置５０を構成する塗布装置の第１及び第２の変形例の概略構成図である。
【００３３】
シート化粧床材１５は、図１に示すように、板状基材として設けられた木質基材１０と、木質基材１０上に接着剤層１１ａを介して設けられた（短尺の）化粧シート１２ａとを備えている。
【００３４】
木質基材１０は、例えば、ＬＶＬ（Laminated Veneer Lumber：単板積層材）、合板、集成材、無垢材、パーティクルボード、繊維板等の木質材料により構成されている。ここで、板状基材としては、吸水性を有していれば、木質基材１０の他に、火山性ガラス質複層板、ケイ酸カルシウム板、石膏ボード等の無機基材であってもよい。
【００３５】
接着剤層１１ａは、例えば、酢酸ビニル系、水性ビニルウレタン系、アクリル系、イソシアネート系、ユリア系、エチレン酢酸ビニル共重合体系、ポリビニルアルコール系等の水系接着剤１１を乾燥させて構成されている。ここで、接着剤層１１ａには、必要に応じて、例えば、イソシアネート系やメラミン系等の硬化剤が添加されていてもよい。
【００３６】
化粧シート１２ａは、樹脂製であり、例えば、厚さ０．１ｍｍ〜０．４ｍｍ程度のオレフィン樹脂、ＰＥＴ（polyethylene terephthalate）樹脂、塩化ビニル樹脂等の水分を殆ど含まない樹脂フィルムにより形成されている。ここで、化粧シート１２ａとしては、樹脂シートの他に、コート紙、樹脂含浸紙等の化粧紙、不織布、織布、木質薄化粧突き板、畳表等の薄いシート材であってもよい。また、化粧シート１２ａの厚さとしては、後述する長尺の化粧シート１２を巻き出す巻出ロール３５との兼ね合いで決定すればよく、紙であれば、例えば０．０５ｍｍ〜０．３ｍｍ程度のもの、樹脂シートであれば、例えば、０．１５ｍｍ〜０．３ｍｍ程度のものが好適に用いられる。なお、化粧シート１２ａには、例えば、木目、石目、抽象柄等が印刷されている。
【００３７】
次に、シート化粧床材１５を製造する床材製造装置５０について説明する。
【００３８】
床材製造装置５０は、図１に示すように、塗布装置として設けられたダイコーター３０と、ダイコーター３０の後述するバックアップロール２５の図中右側に設けられた巻出ロール３５と、バックアップロール２５の図中下側に設けられた貼付ロール４０と、バックアップロール２５の図中左側に設けられた膜厚計４１と、貼付ロール４０の図中右側に設けられた裁断機４５とを備えている。なお、床材製造装置５０において、貼付ロール４０の図１中下側には、複数の木質基材１０を図１中左側から図中１右側に一枚ずつ連続的に搬送するように搬送コンベヤーや搬送ロール等の搬送手段（不図示）が設けられている。
【００３９】
ダイコーター３０は、図１に示すように、塗工部として設けられたＴダイ２０と、Ｔダイ２０に接続配管２４を介して接続されたタンク２３と、接続配管２４の経路中にＴダイ２０側から順に設けられたフィルター２１及び容積式ポンプ２２と、Ｔダイ２０の図中下側にＴダイ２０に対向するようにバックアップ部として設けられたバックアップロール２５とを備えている。なお、ダイコーター３０は、容積式ポンプ２２における水系接着剤１１の圧力が所定範囲を超えた場合、膜厚計４１で測定した水系接着剤１１の塗布量が所定範囲を超えた場合等に異常を検知するように構成されていてもよい。
【００４０】
Ｔダイ２０は、図１に示すように、タンク２３から供給された水系接着剤１１を、例えば、０．３ｍｍ程度の幅の細長い隙間Ｃから定量的にバックアップロール２５側に吐出するように設けられている。
【００４１】
フィルター２１は、例えば、スチール製の金網等により構成され、Ｔダイ２０の隙間よりも小さい目（例えば、１００メッシュ程度）を有している。ここで、１００メッシュのフィルター２１は、例えば、その線径が０．１１ｍｍの場合、その目開きの大きさが０．１４４ｍｍであり、その線径が０．１０ｍｍの場合、その目開きの大きさは、０．１５４ｍｍである。
【００４２】
容積式ポンプ２２は、タンク２３に貯留された水系接着剤１１をＴダイ２０に一定時間に一定量で送り出すように設けられている。
【００４３】
バックアップロール２５は、その回転駆動により、巻出ロール３５から供給された化粧シート１２を貼付ロール４０に搬送すると共に、その搬送中の化粧シート１２の裏面にＴダイ２０からの水系接着剤１１が塗布されるように設けられている。
【００４４】
本実施形態では、塗布装置として設けられたダイコーター３０を例示したが、塗布装置は、ナイフコーターやコンマコーター等であってもよい。ここで、ナイフコーターは、図２に示すように、化粧シート１２の表面に当接するバックアップロール２５と、バックアップロール２５の周面で化粧シート１２の裏面に当接して、水系接着剤１１を溜める液受けパン２６と、バックアップロール２５の周面で化粧シート１２の裏面に一定の隙間Ｃを空けて塗工部として配置された金属製のナイフ２０ａとを備え、液受けパン２６において化粧シート１２の裏面に付着した水系接着剤１１をナイフ２０ａでこそげ取って、均一な膜厚で水系接着剤１１を塗布するように構成されている。また、コンマコーターは、図３に示すように、上記ナイフコーターを構成するナイフ２０ａの代わりに、横断面がコンマ形状のコンマロール２０ｂをバックアップロール２５の周面で化粧シート１２の裏面に一定の隙間Ｃを空けて配置し、液受けパン２６において化粧シート１２の裏面に付着した水系接着剤１１をコンマロール２０ｂでこそげ取って、均一な膜厚で水系接着剤１１を塗布するように構成されている。なお、塗布装置として上記ナイフコーターやコンマコーターを用いた場合には、上述した容積式ポンプ２２に代えて、他の供給ポンプを用いてもよい。
【００４５】
巻出ロール３５は、その回転駆動により、ロール状に巻かれた長尺の化粧シート１２を巻き出してダイコーター３０のバックアップロール２５の周面に供給するように設けられている。
【００４６】
貼付ロール４０は、その回転駆動により、搬送中の木質基材１０の表面に水系接着剤１１を介して化粧シート１２を貼り付けるように設けられている。
【００４７】
膜厚計４１は、ダイコーター３０で塗布された水系接着剤１１の塗膜に、例えば、赤外線を照射し、その反射スペクトルを解析することにより、その水分量を算出して、その水分量に基づいて水系接着剤１１の塗布量を測定するように設けられている。また、膜厚計４１は、化粧シート１２の幅方向に沿ってスライド移動可能に設けられている。
【００４８】
裁断機４５は、木質基材１０に貼付した長尺の化粧シート１２を木質基材１０毎に裁断して短尺の化粧シート１２ａに個片化するように設けられている。
【００４９】
次に、上記構成の床材製造装置５０を用いたシート化粧床材１５の製造方法について説明する。
【００５０】
まず、タンク２３内に水系接着剤１１を貯留し、巻出ロール３５にロール状の化粧シート１２を設置し、搬送手段に複数の木質基材１０をセットする。
【００５１】
続いて、巻出ロール３５から化粧シート１２を巻き出して、化粧シート１２をバックアップロール２５及び貼付ロール４０に順に送った後に、巻出ロール３５、バックアップロール２５及び貼付ロール４０を駆動させながら容積式ポンプ２２を作動させることにより、化粧シート１２の裏面にＴダイ２０から吐出された水系接着剤１１を塗布する。ここで、水系接着剤１１の塗布量は、例えば、５０ｇ／ｍ２〜１５０ｇ／ｍ２程度（好ましくは、５０ｇ／ｍ２〜１００ｇ／ｍ２）である。また、水系接着剤１１の塗布量（膜厚）は、上述したように、非接触式の膜厚計４１から赤外線を照射して、その水系接着剤１１に含まれる水分量に基づいて測定される。なお、水系接着剤１１の塗布量（膜厚）が所定の範囲内に入らない場合には、製造ラインを一旦止め、Ｔダイ２０の隙間Ｃや容積式ポンプ２２の送り量等を確認及び調整する。
【００５２】
その後、搬送手段を作動させることにより、木質基材１０を搬送しながら木質基材１０の表面に水系接着剤１１を塗布した化粧シート１２を介して貼付ロール４０の周壁を接触させて、木質基材１０に水系接着剤１１を介して化粧シート１２を連続的に貼付する。
【００５３】
さらに、木質基材１０に貼付された長尺の化粧シート１２を木質基材１０毎に裁断機４５で裁断することにより、個片化した後に、複数個を積み重ねた状態で平板状にプレスし、木質基材１０と短尺の化粧シート１２ａとの間の水系接着剤１１を乾燥して、木質基材１０の表面に化粧シート１２ａを固着させて、積層一体化する。
【００５４】
以上のようにして、本実施形態のシート化粧床材１５を製造することができる。
【００５５】
以上説明したように、本実施形態のシート化粧床材１５の製造方法及び床材製造装置５０によれば、化粧シート１２の表面に当接するバックアップロール２５と、化粧シート１２を介してバックアップロール２５に対向するように設けられ、化粧シート１２の裏面に水系接着剤１１を塗布するＴダイ２０とを備え、Ｔダイ２０により形成される隙間Ｃに応じて水系接着剤１１の塗布量を調整するダイコーター３０により、一方向に並んだ複数の木質基材１０に貼付する化粧シート１２の裏面に水系接着剤１１を塗布するので、ロールコーターを用いた塗布方法で懸念されるローピングの発生を抑制することができる。これにより、化粧シート１２の幅方向において、均一な膜厚で水系接着剤１１を塗布することができる。また、長尺の化粧シート１２の裏面に塗布された水系接着剤１１の塗布量を非接触式の膜厚計４１で測定するので、化粧シート１２の長さ方向において、水系接着剤１１の塗布量の変化を連続的に検知することができる。これにより、長尺の化粧シート１２に対して、幅方向に均一な水系接着剤１１の膜厚を長さ方向に維持することができるので、長尺の化粧シート１２の裏面に対して、高粘度の水系接着剤１１を塗布する場合であっても、ローピングの発生を抑制して、安定的に且つ連続的に均一な膜厚で水系接着剤１１を塗布することができる。さらに、長尺の化粧シート１２の裏面に、安定的に且つ連続的に均一な膜厚で水系接着剤１１を塗布することができるので、平滑性に優れた美麗なシート化粧床材１５を製造することができる。
【００５６】
ここで、シート化粧床材１５を製造する際には、例えば、水系接着剤１１の粘度の異常、フィルター２１の目詰まり等によって、水系接着剤１１の膜厚が薄すぎたり厚すぎたりすると様々な不具合が発生するので、水系接着剤１１の塗布量が所定の範囲を超える場合、製造ラインを一旦止めて、水系接着剤１１の塗布状況を確認する必要がある。このような場合にも、ローピングの発生が抑制されているので、連続的な塗布量の監視により不具合に対する速やかな対応を行うことができるだけでなく、不良品の発生を抑制することができ、より品質の安定した安価なシート化粧床材１５を製造することができる。
【００５７】
また、本実施形態のシート化粧床材１５の製造方法及び床材製造装置５０によれば、ローピングの発生を抑制して、化粧シート１２の裏面に均一に塗布された水系接着剤１１の塗布量を膜厚計４１でその塗布された水系接着剤１１の水分量に基づいて測定するので、一般的な非接触式の安価な膜厚計４１で水系接着剤１１の塗布量を連続的に正確に測定することができる。
【００５８】
また、本実施形態のシート化粧床材１５の製造方法及び床材製造装置５０によれば、化粧シート１２が樹脂製であるので、化粧シート１２に水分が殆ど含まないため、化粧シート１２の裏面に塗布された水系接着剤１１の塗布量をいっそう正確に測定することができる。
【００５９】
また、本実施形態のシート化粧床材１５の製造方法及び床材製造装置５０によれば、Ｔダイ２０には、Ｔダイ２０により形成される隙間Ｃよりも小さい目のフィルター２１を通して水系接着剤１１が供給されるので、水系接着剤１１を製造する際、工場で製造、保管及び調整する際に水系接着剤１１に混入され得るカスや凝集物等のゴミをフィルター２１で取り除くことができる。ここで、ダイコーター３０では、圧力を加えながら、目の細かいフィルター２１を通して、Ｔダイ２０に水系接着剤１１を供給するので、Ｔダイ２０により形成される隙間Ｃに水系接着剤１１に混入され得るゴミが詰まり難くなることにより、化粧シート１２の裏面に水系接着剤１１を塗布する際に、長時間にわたり膜切れの発生を抑制することができる。
【００６０】
また、本実施形態のシート化粧床材１５の製造方法及び床材製造装置５０によれば、膜厚計４１が化粧シート１２の幅方向に沿って平行移動可能に設けられているので、化粧シート１２の裏面に塗布された水系接着剤１１の塗布量を化粧シート１２の幅方向の任意の位置で測定することができ、Ｔダイ２０により形成される隙間Ｃの一方端から他方端までにわたって水系接着剤１１の塗布量を測定することができる。また、化粧シート１２の裏面に塗布された水系接着剤１１において、ローピングの発生が抑制されることにより、化粧シート１２の幅方向における水系接着剤１１の塗布量のばらつきが抑制されているので、水系接着剤１１の塗布量を化粧シート１２の幅方向の任意の位置で測定するだけで、化粧シート１２の幅方向における水系接着剤１１の塗布量を正確に把握することができる。
【００６１】
なお、本実施形態では、特に明示しなかったが、非接触式の膜厚計４１により、化粧シート１２の表面がバックアップロール２５に当接した状態で、化粧シート１２の裏面に塗布された水系接着剤１１の塗布量を測定すれば、塗布量を測定する際の化粧シート１２のばたつきを抑制することができ、水系接着剤１１の塗布量の変化を正確に検知することができる。また、水系接着剤の塗布量を測定する際の化粧シート１２のばたつきを抑制することができるので、非接触式の膜厚計４１と化粧シート１２の裏面に塗布された水系接着剤１１とが接触するリスクを軽減することができる。
【００６２】
《その他の実施形態》
上記第１の実施形態では、シート化粧板材として、床材を例示したが、本発明は、壁材や天井材等にも適用することができる。
【００６３】
また、上記第１の実施形態では、一列に並んだ複数の板状基材に長尺の化粧シートを連続的に貼付するシート化粧板材の製造方法を例示したが、本発明は、複数列に並んだ複数の板状基材に長尺の化粧シートを連続的に貼付するシート化粧板材の製造方法等にも適用することができる。
【産業上の利用可能性】
【００６４】
以上説明したように、本発明は、長尺の化粧シートに対して、高粘度の水系接着剤を塗布する場合であっても、ローピングの発生を抑制して、安定的に且つ連続的に均一な膜厚で水系接着剤を塗布することができるので、極めて有用である。
【符号の説明】
【００６５】
１０      木質基材（板状基材）
１１      水系接着剤
１２      （長尺の）化粧シート
１２ａ    （個片化した）化粧シート
１５      シート化粧床材（シート化粧板材）
２０      Ｔダイ（塗工部）
２１      フィルター
２５      バックアップロール（バックアップ部）
３０      ダイコーター（塗布装置）
４１      膜厚計
５０      床材製造装置（シート化粧板材の製造装置）
【要約】
【課題】高粘度の水系接着剤を塗布する場合であっても、ローピングの発生を抑制して、安定的に且つ連続的に均一な膜厚で水系接着剤を塗布する。
【解決手段】一方向に並んだ複数の板状基材１０に水系接着剤１１を介して長尺の化粧シート１２を連続的に貼付し、化粧シート１２を板状基材１０毎に個片化した後に、その個片化した化粧シート１２ａとそれに貼付された板状基材１０とを平板状にプレスして積層一体化するシート化粧板材１５の製造方法であって、化粧シート１２の表面に当接するバックアップ部２５と、化粧シート１２の裏面に水系接着剤１１を塗布する塗工部２０とを備え、塗工部２０により形成される隙間Ｃに応じて水系接着剤１１の塗布量を調整する塗布装置３０で化粧シート１２の裏面に水系接着剤１１を塗布した後に、塗布された水系接着剤１１の塗布量を非接触式の膜厚計４１で測定する。
【選択図】図１【図１】
0006826222.tif 000002
【図２】
0006826222.tif 000003
【図３】
0006826222.tif 000004